(57)【要約】  乳化安定性と使用感に優れたコア−コロナ型ポリマー粒子と、該粒子を用いた化粧料用原料および水中油型乳化化粧料を提供する。  一般式（１）で示されるポリエチレンオキサイドマクロモノマーと、一般式（２）〜（３）で示される疎水性モノマーの1種または2種以上とを、（A）〜（D）の条件でラジカル重合して得られるコア−コロナ型ポリマー粒子。
2019182124.tif 000002
【特許請求の範囲】
【請求項１】
下記一般式（１）で示されるポリエチレンオキサイドマクロモノマーと、下記一般式（２）〜（３）で示される疎水性モノマーの1種または2種以上とを、下記（A）〜（D）の条件でラジカル重合して得られるコア−コロナ型ポリマー粒子。
（Ａ-1）下記式（1）で示されるマクロモノマーは、繰り返し単位が8〜200のポリエチレングリコール基を含むアクリル酸誘導体またはメタクリル酸誘導体であること。
（Ａ-2）下記式（2）で示されるアクリレート誘導体モノマーは、炭素数1〜12のアルキル基を含む置換基を有するアクリル酸誘導体またはメタクリル酸誘導体であること。
（Ａ-3）下記式（3）で示されるスチレン誘導体モノマーは、炭素数1〜6のアルキル基、スルホ基、ブトキシ基、アセトキシ基、カルボキシル基から選択される置換基を有するスチレン誘導体であること。
（Ｂ）前記ポリエチレンオキシドマクロモノマーの仕込みモル量／（前記疎水性モノマー）の仕込みモル量で表されるモル比が1：10〜1：250であること。
（C）重合溶媒が水−アルコール混合溶媒であり、アルコールがエタノール、ジプロピレングリコール、１，３−ブチレングリコール、イソプレングリコールから選択される1種または2種以上であること。
（D）水−アルコール混合溶媒の溶媒組成が、20℃の質量比で、水：アルコール＝90〜10：10〜90であること。
【化１】
2019182124.tif 000016
（１）
上記化学式（１）中、Ｘは、水素または炭素数１〜３の炭化水素基、ｎは、８〜２００の数を表す。
【化２】
2019182124.tif 000017
（２）
上記一般式（２）中、Ｒ２は、水素または炭素数１〜３の炭化水素基を表す。Ｒ３は、炭素数１〜１２の炭化水素基を表す。
【化３】
2019182124.tif 000018
（３）
上記一般式（３）中、Ｒ４およびＲ５は水素または炭素数１〜３の炭化水素基を表す。
【請求項２】
請求項1に記載のコア−コロナ型ポリマー粒子を含むことを特徴とする乳化剤。
【請求項３】
請求項1に記載のコア−コロナ型ポリマー粒子を含むことを特徴とする白濁化剤。
【請求項４】
請求項1記載のコア−コロナ型ポリマー粒子の粒子径が50〜600nmであることを特徴とするコア−コロナ型ポリマー粒子。
【請求項５】
請求項1に記載のコア−コロナ型ポリマー粒子を含む化粧料原料。
【発明の詳細な説明】
【関連出願】
【０００１】
本出願は、２０１８年３月２３日付け出願の日本国特許出願２０１８−０５７２５５号の優先権を主張しており、ここに折り込まれるものである。
【技術分野】
【０００２】
本発明はコア−コロナ型ポリマー粒子を用いた化粧料用原料および水中油型乳化化粧料に関し、特に、その化粧料の乳化安定性と使用性の改善に関する。
【背景技術】
【０００３】
ある液体を他の液体中に安定に分散させるために、従来の意味の乳化化粧料には、界面活性物質（乳化剤）の添加が必要とされる。乳化剤は両親媒性の分子構造を有し、極性（親水性）と非極性（疎水性）部分から構成される。
化粧品等に用いられる乳化化粧料は、添加されている界面活性剤の乳化作用により、水性成分と油性成分を安定的に混合せしめている。水中油型化粧料においては、油相の微小分散液滴が乳化剤の殻で囲まれ、外相は水相の連続相となるため、みずみずしい感触を与える使用感に優れるといわれている。また、油中水型乳化化粧料では、水相の微小液滴が連続相である油相の中に分散しており、塗布時の伸び広がりの良さや塗布後の化粧膜の耐水効果に優れる。【０００４】
一方、近年安全性をより重視する消費者が増加するに伴い、ごく過敏な使用者によっては、まれに刺激性を感じる恐れのある界面活性剤すら含有しない、もしくはそのような刺激を与えない含有量とした水中油型乳化化粧料、又は油中水型乳化化粧料の要求がますます高くなっている。
また、界面活性剤は、水や油に対する相対的な濃度の上昇に伴って、使用感の悪い高次の会合体を形成する性質があるため、界面活性剤を乳化剤として用いた乳化化粧料においては、塗布中の溶媒揮発に伴う化粧膜の界面活性剤濃度の上昇によって、さっぱり感を損ない、べたつきやぬるつきを生じる場合がある。【０００５】
界面活性剤を用いずに、水中油型乳化化粧料を製造する方法としては、油相と水相の界面に粉末を吸着させて乳化するピッカリングエマルション法が知られている。しかし、当該方法で用いる粉末としては、金属酸化物や鉱物（例えば、シリカ）等の無機粉末が汎用されているが、これらの粉末による乳化能は弱く、多量に配合する必要があるため、得られる化粧料に粉っぽさや、きしみ感が感じられるという問題があった。さらに、無機粉末で乳化された油滴は衝撃に弱く、攪拌や振動によって合一し易いため、安定性の低さが課題となっていた（特許文献１）。【０００６】
また、特定のポリエチレンオキサイドマクロモノマー、特定のアクリレート誘導体モノマー、及び特定の架橋性モノマーを特定の条件下でラジカル重合して得られるコアーコロナ型ミクロゲル（本発明では、コア−コロナ型ポリマー粒子としている。）が、有機溶媒に対する膨潤性が非常に高く、様々な種類の油分を安定に乳化できることを見出した。そして、当該ミクロゲルを乳化剤とすることで、乳化安定性に優れ、べたつき感が少なく、粉っぽさやきしみ感が少ない水中油型乳化化粧料が得られることが報告されている。しかし、コア部の架橋密度が低いと膨潤時にコア構造が崩壊し、架橋密度が高すぎると、ミクロゲル同士が凝集し、いずれの場合にも乳化剤として機能しなくなるという問題があった。（特許文献２）【０００７】
このような事情から、架橋レベルによって乳化力が左右されない乳化安定性に優れたコア−コロナ型のミクロ粒子からなる化粧料用原料と、該化粧料用原料によって乳化された水中油型乳化化粧料の開発が望まれている。
【先行技術文献】
【特許文献】
【０００８】
【特許文献１】特開２００１−５１８１１１号公報
【特許文献２】特開２００６−１６１０２６号公報
【発明の概要】
【発明が解決しようとする課題】
【０００９】
そこで、本発明は前記従来技術に鑑み行われたものであり、その解決すべき課題は、水中油型乳化化粧料として汎用できるコア−コロナ型ポリマー粒子からなる化粧料用原料の提供と、さらに、乳化安定性に優れた、べたつき感が少なく、粉っぽさや、きしみ感が少ない当該ミクロ粒子によって乳化された水中油型乳化化粧料の提供することにある。
【課題を解決するための手段】
【００１０】
本発明者らが前述の課題を解決すべく鋭意研究を行った結果、特定のスチレン誘導体モノマーとアクリレート誘導体モノマーとを特定の条件下でラジカル重合させることで、水中油型乳化化粧料として汎用できるコア−コロナ型ポリマー粒子からなる化粧料用原料が得られることを見出した。そして、当該ミクロ粒子によって乳化された水中油型乳化化粧料は、乳化安定性に優れ、べたつき感が少なく、粉っぽさや、きしみ感が少ないことを見出した。【００１１】
すなわち、本発明に係るコア−コロナ型ポリマー粒子は、下記式（１）で示されるポリエチレンオキサイドマクロモノマーと、下記式（２）〜（３）で示される疎水性モノマーの1種または2種以上とを、下記（A）〜（D）の条件でラジカル重合して得られることを特徴とする。
（Ａ-1）下記式（1）で示されるマクロモノマーは、繰り返し単位が8〜200のポリエチレングリコール基を含むアクリル酸誘導体またはメタクリル酸誘導体であること。
（Ａ-2）下記式（2）で示されるアクリレート誘導体モノマーは、炭素数1〜12のアルキル基を含む置換基を有するアクリル酸誘導体またはメタクリル酸誘導体であること。
（Ａ-3）下記式（3）で示されるスチレン誘導体モノマーは、炭素数1〜6のアルキル基、スルホ基、ブトキシ基、アセトキシ基、カルボキシル基から選択される置換基を有するスチレン誘導体であること。
（Ｂ）前記ポリエチレンオキシドマクロモノマーの仕込みモル量／（前記疎水性モノマー）の仕込みモル量で表されるモル比が1：10〜1：250であること。
（C）重合溶媒が水−アルコール混合溶媒であり、アルコールがエタノール、ジプロピレングリコール、１，３−ブチレングリコール、イソプレングリコールから選択される1種または2種以上であること。
（D）水−アルコール混合溶媒の溶媒組成が、20℃の質量比で、水：アルコール＝90〜10：10〜90であること。【００１２】
【化１】
2019182124.tif 000003
（１）
上記化学式（１）中、Ｘは、水素または炭素数１〜３の炭化水素基、ｎは、８〜２００の数を表す【００１３】
【化２】
2019182124.tif 000004
（２）
上記一般式（２）中、Ｒ２は、水素または炭素数１〜３の炭化水素基を表す。Ｒ３は、炭素数１〜１２の炭化水素基を表す。【００１４】
【化３】
2019182124.tif 000005
（３）
上記一般式（３）中、Ｒ４およびＲ５は水素または炭素数１〜３の炭化水素基を表す。
前記コア−コロナ型ポリマー粒子において、化粧料用原料として用いることが好適である。
前記コア−コロナ型ポリマー粒子において、乳化剤として用いることが好適である。
前記コア−コロナ型ポリマー粒子において、白濁化剤として用いることが好適である。
前記コア−コロナ型ポリマー粒子において、その粒子径が５０〜６００nmであることが好適である。
【発明の効果】
【００１５】
本発明によれば、特定のスチレン誘導体モノマーとアクリレート誘導体モノマーとを特定の条件下でラジカル重合させることで、水中油型乳化化粧料として汎用できるコア−コロナ型ポリマー粒子が得られることを見出した。そして、当該ポリマー粒子によって乳化された水中油型乳化化粧料は、乳化安定性に優れ、べたつき感が少なく、粉っぽさや、きしみ感が少ないことを見出した。
【図面の簡単な説明】
【００１６】
【図１】本発明のコア−コロナ型ポリマー粒子におけるミクロゲルの生成メカニズムを示す模式図である。
【図２】本発明のコア−コロナ型ポリマー粒子の試験例３−１の顕微鏡写真である。
【図３】本発明のコア−コロナ型ポリマー粒子の試験例３−２の顕微鏡写真である。
【図４】本発明のコア−コロナ型ポリマー粒子の試験例３−３の顕微鏡写真である。
【図５】本発明のコア−コロナ型ポリマー粒子の試験例３−４の顕微鏡写真である。
【発明を実施するための形態】
【００１７】
本発明に係るコア−コロナ型ポリマー粒子は、下記一般式（１）で示されるポリエチレンオキサイドマクロモノマーと、下記一般式（２）〜（３）で示される疎水性モノマーの1種または2種以上とを、下記（A）〜（D）の条件でラジカル重合して得られることを特徴とする。
【００１８】
本発明に用いるポリエチレンオキサイドマクロモノマーは以下の一般式（１）で表される。
【００１９】
【化１】
2019182124.tif 000006
（１）
【００２０】
上記化学式（１）中、Ｒ１及びＸは、水素または炭素数１〜３の炭化水素基を表し、ｎは８〜２００の数を表す。
【００２１】
〈Ａ１条件〉
Ａ１条件としては、（１）で表されるポリエチレンオキサイドマクロモノマーが、繰り返し単位が8〜200のポリエチレングリコール基を含むアクリル酸誘導体またはメタクリル酸誘導体であることが挙げられる。分子量が、３５０〜９０００であると好ましい。
【００２２】
本発明に用いるポリエチレンオキサイドマクロモノマーは、Ａｌｄｒｉｃｈ社製、日油株式会社製の市販品等を用いることができる。
【００２３】
本発明に用いる疎水性モノマーは、以下の一般式（２）で表されるアクリレート誘導体モノマーと、以下の一般式（３）スチレン誘導体モノマーと、を好適に用いることができる。
【００２４】
本発明に用いるアクリレート誘導体モノマーは、以下の一般式（２）で表される。
【００２５】
【化２】
2019182124.tif 000007
（２）
【００２６】
上記一般式（２）中、Ｒ２は水素または炭素数１〜３の炭化水素基を表す。Ｒ３は、炭素数１〜１２の炭化水素基を表す。
【００２７】
〈Ａ２条件〉
Ａ２条件としては、一般式（２）で表されるアクリレート誘導体モノマーが、炭素数1〜12のアルキル基を含む置換基を有するアクリル酸誘導体またはメタクリル酸誘導体であることが挙げられる。
【００２８】
本発明に用いるアクリレート誘導体モノマーは、Ａｌｄｒｉｃｈ社製、東京化成社製の市販品等を用いることができる。
【００２９】
本発明に用いるスチレン誘導体モノマーは、以下の一般式（３）から表される。
【００３０】
【化３】
2019182124.tif 000008
（３）
【００３１】
上記一般式（３）中、Ｒ４およびＲ５は水素または炭素数１〜３の炭化水素基を表す。
【００３２】
〈Ａ３条件〉
Ａ３条件としては、一般式（３）示されるスチレン誘導体モノマーは、炭素数1〜6のアルキル基、スルホ基、ブトキシ基、アセトキシ基、カルボキシル基から選択される置換基を有するスチレン誘導体であることが挙げられる。
【００３３】
本発明に用いるスチレン誘導体モノマーは、市販品を用いることができる。たとえば和光純薬工業社製、Ａｌｄｒｉｃｈ社製のものが挙げられる。
【００３４】
〈Ｂ条件〉
Ｂ条件としては、前記ポリエチレンオキシドマクロモノマーの仕込みモル量／（前記疎水性モノマー）の仕込みモル量で表されるモル比が1：10〜1：250であることが挙げられる。1：10未満であると、ポリマーが親水的になるためにコア−コロナ型粒子が形成されない場合があり、1：250を超えるとポリマーが疎水性になるために粒子が凝集・沈殿する場合がある。
【００３５】
〈Ｃ条件〉
Ｃ条件としては、重合溶媒が水−アルコール混合溶媒であり、アルコールがエタノール、ジプロピレングリコール、１，３−ブチレングリコール、イソプレングリコールから選択される1種または2種以上であることが挙げられる。
【００３６】
〈Ｄ条件〉
Ｄ条件としては、水−アルコール混合溶媒の溶媒組成が、20℃の質量比で、水：アルコール＝90〜10：10〜90であることが挙げられる。より好ましくは、水：アルコール50〜10：90〜50が好ましい。
【００３７】
本発明に係るコア−コロナ型ポリマー粒子は、化粧料全量に対し、コア−コロナ型ポリマー粒子の純分に換算して、０．０１〜１０質量％であることが好ましい。より好ましくは０．０５〜５質量％、さらに０．０５〜２質量％であるとより好ましい。配合量が０．０１質量％未満であると、安定な化粧料が得られない場合がある。また、配合量が、１０質量％を超えると、高温条件下での長期保存において安定性に劣る場合や、使用感に劣る場合がある。
【００３８】
本発明に係るコア−コロナ型ポリマー粒子の粒子径が５０〜６００nmであると好適である。５０ｎｍ未満であると白濁性が著しく低下する場合があり、６００ｎｍを超えると粒子が沈殿する場合や、乳化剤としての機能が失活する場合がある。
【００３９】
本発明に係るコア−コロナ型ポリマー粒子は、親水性マクロモノマーと疎水性モノマーとが溶媒中にて図１に示すように秩序化が起り、粒子径がほぼ一定で、かつコア部分が架橋されたコア−コロナ型ポリマー粒子分散液が生成すると本発明者は、推測している。
ただし、現時点をもって、このコア−コロナ型ポリマー粒子が、図１のような状態で、存在することを完全に特定することが不可能またはおよそ実際的ではない程度に困難である。したがって、本発明に係る物の発明を物自体の構成として特定するのは不可能である。よって、このプロダクトバイプロセス発明は明確である。
【００４０】
本発明に係るコア−コロナ型ポリマー粒子は、様々な化粧料の乳化剤、白濁剤、化粧料用原料等に用いることができる。
（水中油型乳化化粧料）
本発明のコア−コロナ型ポリマー粒子は、油相成分と水相成分とを乳化して、水相成分中に分散した油相成分の油滴上にコア−コロナ型ミクロゲル乳化剤が吸着してなる構造を有する水中油型乳化化粧料を形成する。したがって、本発明のコア−コロナ型ポリマー粒子は乳化力に優れ、また、本発明の化粧料用原料を乳化剤として使用すれば、乳化安定性に極めて優れた水中油型乳化化粧料を製造することができる。
本発明の水中油型乳化化粧料は、化粧料用原料を、水または水相成分中に混合分散させ、常法により油相成分およびその他の成分を添加、攪拌およびせん断力を加えて乳化することによって製造される。
【００４１】
［その他の成分］
本発明にかかる化粧料用原料を用いた化粧料には、本発明の効果を損なわない範囲において、他の成分、例えば、無機粉末、有機粉末、エステル、アニオン界面活性剤、カチオン界面活性剤、両性界面活性剤、非イオン界面活性剤、保湿剤、水溶性高分子、増粘剤、皮膜剤、紫外線吸収剤、金属イオン封鎖剤、低級アルコール、多価アルコール、糖、アミノ酸、有機アミン、高分子エマルジョン、ｐＨ調整剤、皮膚栄養剤、ビタミン、酸化防止剤、酸化防止助剤、香料、水等を必要に応じて適宜配合し、目的とする剤形に応じて常法により製造することが出来る。
【００４２】
無機粉末は、例えば、タルク、窒化硼素、セリサイト、天然マイカ、焼成マイカ、合成マイカ、合成セリサイト、アルミナ、マイカ、カオリン、ベントナイト、スメクタイト、炭酸カルシウム、炭酸マグネシウム、リン酸カルシウム、無水ケイ酸、酸化マグネシウム、酸化スズ、酸化鉄、酸化イットリウム、酸化クロム、酸化亜鉛、酸化セリウム、酸化アルミニウム、酸化マグネシウム、水酸化クロム、紺青、群青、リン酸カルシウム、水酸化アルミニウム、硫酸バリウム、硫酸マグネシウム、ケイ酸、ケイ酸アルミニウムマグネシウム、ケイ酸カルシウム、ケイ酸バリウム、ケイ酸マグネシウム、ケイ酸アルミニウム、ケイ酸ストロンチウム、炭化ケイ素、フッ化マグネシウム、タングステン酸金属塩、アルミン酸マグネシウム、メタケイ酸アルミン酸マグネシウム、クロルヒドロキシアルミニウム、クレー、ゼオライト、ヒドロキシアパタイト、セラミックパウダー、スピネル、ムライト、コージェライト、窒化アルミニウム、窒化チタン、窒化ケイ素、ランタン、サマリウム、タンタル、テルビウム、ユーロピウム、ネオジウム、Ｍｎ−Ｚｎフェライト、Ｎｉ−Ｚｎフェライト、シリコーンカーバイート、チタン酸コバルト、チタン酸バリウム、チタン酸鉄、リチウムコバルトチタネート、アルミン酸コバルト、アンチモン含有酸化スズ、スズ含有酸化インジウム、マグネタイト、アルミニウム粉、金粉、銀粉、白金粉、銅粉、貴金属コロイド、鉄粉、亜鉛粉、コバルトブルー、コバルトバイオレット、コバルトグリーン、低次酸化チタン、微粒子酸化チタン、バタフライ状硫酸バリウム、花びら状酸化亜鉛、テトラポッド状酸化亜鉛、微粒子酸化亜鉛、パール顔料としては酸化チタン被覆雲母、酸化チタン被覆マイカ、酸化チタン被覆合成マイカ、酸化チタン被覆シリカ、酸化チタン被覆合成マイカ、酸化チタン被覆タルク、酸化亜鉛被覆シリカ、酸化チタン被覆着色雲母、ベンガラ被覆雲母チタン、ベンガラ・黒酸化鉄被覆雲母チタン、カルミン被覆雲母チタン、コンジョウ被覆雲母チタン等が挙げられる。
【００４３】
有機粉末（例えば、シリコーンエラストマー粉末、シリコーン粉末、シリコーンレジン被覆シリコーンエラストマー粉末、ポリアミド樹脂粉末(ナイロン粉末)、ポリエチレン粉末、ポリメタクリル酸メチル粉末（例えばメタクリル酸メチルクロスポリマー）、ポリスチレン粉末、スチレンとアクリル酸の共重合体樹脂粉末、ベンゾグアナミン樹脂粉末、ポリ四弗化エチレン粉末、セルロース粉末等）；ジルコニウム、バリウム又はアルミニウムレーキ等の有機顔料（例えば、赤色２０１号、赤色２０２号、赤色２０４号、赤色２０５号、赤色２２０号、赤色２２６号、赤色２２８号、赤色４０５号、橙色２０３号、橙色２０４号、黄色２０５号、黄色４０１号、及び青色４０４号などの有機顔料、等が挙げられる。
【００４４】
アニオン界面活性剤としては、例えば、脂肪酸セッケン（例えば、ラウリン酸ナトリウム、パルミチン酸ナトリウム等）；高級アルキル硫酸エステル塩（例えば、ラウリル硫酸ナトリウム、ラウリル硫酸カリウム等）；アルキルエーテル硫酸エステル塩（例えば、ＰＯＥ−ラウリル硫酸トリエタノールアミン、ＰＯＥ−ラウリル硫酸ナトリウム等）；Ｎ−アシルサルコシン酸（例えば、ラウロイルサルコシンナトリウム等）；高級脂肪酸アミドスルホン酸塩（例えば、Ｎ−ミリストイル−Ｎ−メチルタウリンナトリウム、ヤシ油脂肪酸メチルタウリッドナトリウム、ラウリルメチルタウリッドナトリウム等）；リン酸エステル塩（ＰＯＥ−オレイルエーテルリン酸ナトリウム、ＰＯＥ−ステアリルエーテルリン酸等）；スルホコハク酸塩（例えば、ジ−２−エチルヘキシルスルホコハク酸ナトリウム、モノラウロイルモノエタノールアミドポリオキシエチレンスルホコハク酸ナトリウム、ラウリルポリプロピレングリコールスルホコハク酸ナトリウム等）；アルキルベンゼンスルホン酸塩（例えば、リニアドデシルベンゼンスルホン酸ナトリウム、リニアドデシルベンゼンスルホン酸トリエタノールアミン、リニアドデシルベンゼンスルホン酸等）；高級脂肪酸エステル硫酸エステル塩（例えば、硬化ヤシ油脂肪酸グリセリン硫酸ナトリウム等）；Ｎ−アシルグルタミン酸塩（例えば、Ｎ−ラウロイルグルタミン酸モノナトリウム、Ｎ−ステアロイルグルタミン酸ジナトリウム、Ｎ−ミリストイル−Ｌ−グルタミン酸モノナトリウム等）；硫酸化油（例えば、ロート油等）；ＰＯＥ−アルキルエーテルカルボン酸；ＰＯＥ−アルキルアリルエーテルカルボン酸塩；α-オレフィンスルホン酸塩；高級脂肪酸エステルスルホン酸塩；二級アルコール硫酸エステル塩；高級脂肪酸アルキロールアミド硫酸エステル塩；ラウロイルモノエタノールアミドコハク酸ナトリウム；Ｎ−パルミトイルアスパラギン酸ジトリエタノールアミン；カゼインナトリウム等が挙げられる。
【００４５】
カチオン界面活性剤としては、例えば、アルキルトリメチルアンモニウム塩（例えば、塩化ステアリルトリメチルアンモニウム、塩化ラウリルトリメチルアンモニウム等）；アルキルピリジニウム塩（例えば、塩化セチルピリジニウム等）；塩化ジステアリルジメチルアンモニウムジアルキルジメチルアンモニウム塩；塩化ポリ（Ｎ，Ｎ’−ジメチル−３，５−メチレンピペリジニウム)；アルキル四級アンモニウム塩；アルキルジメチルベンジルアンモニウム塩；アルキルイソキノリニウム塩；ジアルキルモリホニウム塩；ＰＯＥ−アルキルアミン；アルキルアミン塩；ポリアミン脂肪酸誘導体；アミルアルコール脂肪酸誘導体；塩化ベンザルコニウム；塩化ベンゼトニウム等が挙げられる。
【００４６】
両性界面活性剤としては、例えば、イミダゾリン系両性界面活性剤（例えば、２−ウンデシル−Ｎ，Ｎ，Ｎ−（ヒドロキシエチルカルボキシメチル）−２−イミダゾリンナトリウム、２−ココイル−２−イミダゾリニウムヒドロキサイド−１−カルボキシエチロキシ２ナトリウム塩等）；ベタイン系界面活性剤（例えば、２−ヘプタデシル−Ｎ−カルボキシメチル−Ｎ−ヒドロキシエチルイミダゾリニウムベタイン、ラウリルジメチルアミノ酢酸ベタイン、アルキルベタイン、アミドベタイン、スルホベタイン等）等が挙げられる。
【００４７】
親油性非イオン界面活性剤としては、例えば、ソルビタン脂肪酸エステル類（例えば、ソルビタンモノオレエート、ソルビタンモノイソステアレート、ソルビタンモノラウレート、ソルビタンモノパルミテート、ソルビタンモノステアレート、ソルビタンセスキオレエート、ソルビタントリオレエート、ペンタ−２−エチルヘキシル酸ジグリセロールソルビタン、テトラ−２−エチルヘキシル酸ジグリセロールソルビタン等）；グリセリンポリグリセリン脂肪酸類（例えば、モノ綿実油脂肪酸グリセリン、モノエルカ酸グリセリン、セスキオレイン酸グリセリン、モノステアリン酸グリセリン、α,α'−オレイン酸ピログルタミン酸グリセリン、モノステアリン酸グリセリンリンゴ酸等）；プロピレングリコール脂肪酸エステル類（例えば、モノステアリン酸プロピレングリコール等）；硬化ヒマシ油誘導体；グリセリンアルキルエーテル等が挙げられる。
【００４８】
親水性非イオン界面活性剤としては、例えば、ＰＯＥ−ソルビタン脂肪酸エステル類（例えば、ＰＯＥ−ソルビタンモノオレエート、ＰＯＥ−ソルビタンモノステアレート、ＰＯＥ−ソルビタンモノオレエート、ＰＯＥ−ソルビタンテトラオレエート等）；ＰＯＥ−ソルビット脂肪酸エステル類（例えば、ＰＯＥ−ソルビットモノラウレート、ＰＯＥ−ソルビットモノオレエート、ＰＯＥ−ソルビットペンタオレエート、ＰＯＥ−ソルビットモノステアレート等）；ＰＯＥ−グリセリン脂肪酸エステル類（例えば、ＰＯＥ−グリセリンモノステアレート、ＰＯＥ−グリセリンモノイソステアレート、ＰＯＥ−グリセリントリイソステアレート等のＰＯＥ−モノオレエート等）；ＰＯＥ−脂肪酸エステル類（例えば、ＰＯＥ−ジステアレート、ＰＯＥ−モノジオレエート、ジステアリン酸エチレングリコール等）；ＰＯＥ−アルキルエーテル類（例えば、ＰＯＥ−ラウリルエーテル、ＰＯＥ−オレイルエーテル、ＰＯＥ−ステアリルエーテル、ＰＯＥ−ベヘニルエーテル、ＰＯＥ−２−オクチルドデシルエーテル、ＰＯＥ−コレスタノールエーテル等）；プルロニック型類（例えば、プルロニック等）；ＰＯＥ・ＰＯＰ−アルキルエーテル類（例えば、ＰＯＥ・ＰＯＰ−セチルエーテル、ＰＯＥ・ＰＯＰ−２−デシルテトラデシルエーテル、ＰＯＥ・ＰＯＰ−モノブチルエーテル、ＰＯＥ・ＰＯＰ−水添ラノリン、ＰＯＥ・ＰＯＰ−グリセリンエーテル等）；テトラＰＯＥ・テトラＰＯＰ−エチレンジアミン縮合物類（例えば、テトロニック等）；ＰＯＥ−ヒマシ油硬化ヒマシ油誘導体（例えば、ＰＯＥ−ヒマシ油、ＰＯＥ−硬化ヒマシ油、ＰＯＥ−硬化ヒマシ油モノイソステアレート、ＰＯＥ−硬化ヒマシ油トリイソステアレート、ＰＯＥ−硬化ヒマシ油モノピログルタミン酸モノイソステアリン酸ジエステル、ＰＯＥ−硬化ヒマシ油マレイン酸等）；ＰＯＥ−ミツロウ・ラノリン誘導体（例えば、ＰＯＥ−ソルビットミツロウ等）；アルカノールアミド（例えば、ヤシ油脂肪酸ジエタノールアミド、ラウリン酸モノエタノールアミド、脂肪酸イソプロパノールアミド等）；ＰＯＥ−プロピレングリコール脂肪酸エステル；ＰＯＥ−アルキルアミン；ＰＯＥ−脂肪酸アミド；ショ糖脂肪酸エステル；アルキルエトキシジメチルアミンオキシド；トリオレイルリン酸等が挙げられる。
【００４９】
保湿剤としては、例えば、ポリエチレングリコール、プロピレングリコール、グリセリン、１，３−ブチレングリコール、キシリトール、ソルビトール、マルチトール、コンドロイチン硫酸、ヒアルロン酸、ムコイチン硫酸、カロニン酸、アテロコラーゲン、コレステリル−１２−ヒドロキシステアレート、乳酸ナトリウム、胆汁酸塩、ｄｌ−ピロリドンカルボン酸塩、アルキレンオキシド誘導体、短鎖可溶性コラーゲン、ジグリセリン（ＥＯ）ＰＯ付加物、イザヨイバラ抽出物、セイヨウノコギリソウ抽出物、メリロート抽出物等が挙げられる。
【００５０】
天然の水溶性高分子としては、例えば、植物系高分子（例えば、アラビアガム、トラガカントガム、ガラクタン、グアガム、キャロブガム、カラヤガム、カラギーナン、ペクチン、カンテン、クインスシード(マルメロ)、アルゲコロイド(カッソウエキス)、デンプン(コメ、トウモロコシ、バレイショ、コムギ)、グリチルリチン酸）；微生物系高分子（例えば、キサンタンガム、デキストラン、サクシノグルカン、ブルラン等）；動物系高分子（例えば、コラーゲン、カゼイン、アルブミン、ゼラチン等）等が挙げられる。
【００５１】
半合成の水溶性高分子としては、例えば、デンプン系高分子（例えば、カルボキシメチルデンプン、メチルヒドロキシプロピルデンプン等）；セルロース系高分子（メチルセルロース、エチルセルロース、メチルヒドロキシプロピルセルロース、ヒドロキシエチルセルロース、セルロース硫酸ナトリウム、ヒドロキシプロピルセルロース、カルボキシメチルセルロース、カルボキシメチルセルロースナトリウム、結晶セルロース、セルロース末等）；アルギン酸系高分子（例えば、アルギン酸ナトリウム、アルギン酸プロピレングリコールエステル等）等が挙げられる。
【００５２】
合成の水溶性高分子としては、例えば、ビニル系高分子（例えば、ポリビニルアルコール、ポリビニルメチルエーテル、ポリビニルピロリドン、カルボキシビニルポリマー等）；ポリオキシエチレン系高分子（例えば、ポリエチレングリコール２０，０００、４０，０００、６０，００００のポリオキシエチレンポリオキシプロピレン共重合体等）；アクリル系高分子（例えば、ポリアクリル酸ナトリウム、ポリエチルアクリレート、ポリアクリルアミド等）；ポリエチレンイミン；カチオンポリマー等が挙げられる。
【００５３】
増粘剤としては、例えば、アラビアガム、カラギーナン、カラヤガム、トラガカントガム、キャロブガム、クインスシード（マルメロ）、カゼイン、デキストリン、ゼラチン、ペクチン酸ナトリウム、アラギン酸ナトリウム、メチルセルロース、エチルセルロース、ＣＭＣ、ヒドロキシエチルセルロース、ヒドロキシプロピルセルロース、ＰＶＡ、ＰＶＭ、ＰＶＰ、ポリアクリル酸ナトリウム、カルボキシビニルポリマー、ローカストビーンガム、グアガム、タマリントガム、ジアルキルジメチルアンモニウム硫酸セルロース、キサンタンガム、ケイ酸アルミニウムマグネシウム、ベントナイト、ヘクトライト、ケイ酸Ａ１Ｍｇ（ビーガム）、ラポナイト、無水ケイ酸等が挙げられる。
【００５４】
紫外線吸収剤としては、例えば、安息香酸系紫外線吸収剤（例えば、パラアミノ安息香酸(以下、ＰＡＢＡと略す)、ＰＡＢＡモノグリセリンエステル、Ｎ，Ｎ−ジプロポキシＰＡＢＡエチルエステル、Ｎ，Ｎ−ジエトキシＰＡＢＡエチルエステル、Ｎ，Ｎ−ジメチルＰＡＢＡエチルエステル、Ｎ，Ｎ−ジメチルＰＡＢＡブチルエステル、Ｎ，Ｎ−ジメチルＰＡＢＡエチルエステル等）；アントラニル酸系紫外線吸収剤（例えば、ホモメンチル-N-アセチルアントラニレート等）；サリチル酸系紫外線吸収剤（例えば、アミルサリシレート、メンチルサリシレート、ホモメンチルサリシレート、オクチルサリシレート、フェニルサリシレート、ベンジルサリシレート、ｐ−イソプロパノールフェニルサリシレート等）；桂皮酸系紫外線吸収剤（例えば、オクチルメトキシシンナメート、エチル−４−イソプロピルシンナメート、メチル−２，５−ジイソプロピルシンナメート、エチル−２，４−ジイソプロピルシンナメート、メチル−２，４−ジイソプロピルシンナメート、プロピル−ｐ−メトキシシンナメート、イソプロピル−ｐ−メトキシシンナメート、イソアミル−ｐ−メトキシシンナメート、オクチル−ｐ−メトキシシンナメート(２−エチルヘキシル−ｐ−メトキシシンナメート)、２−エトキシエチル−ｐ−メトキシシンナメート、シクロヘキシル−ｐ−メトキシシンナメート、エチル−α−シアノ−β−フェニルシンナメート、２−エチルヘキシル−α−シアノ−β−フェニルシンナメート、グリセリルモノ−２−エチルヘキサノイル-ジパラメトキシシンナメート等）；ベンゾフェノン系紫外線吸収剤（例えば、２，４−ジヒドロキシベンゾフェノン、２，２’−ジヒドロキシ−４−メトキシベンゾフェノン、２，２’−ジヒドロキシ−４，４’−ジメトキシベンゾフェノン、２，２’，４，４’−テトラヒドロキシベンゾフェノン、２−ヒドロキシ−４−メトキシベンゾフェノン、２−ヒドロキシ−４−メトキシ−４’−メチルベンゾフェノン、２−ヒドロキシ−４−メトキシベンゾフェノン−５−スルホン酸塩、４−フェニルベンゾフェノン、２−エチルヘキシル−４’−フェニル−ベンゾフェノン−２−カルボキシレート、２−ヒドロキシ−４−ｎ−オクトキシベンゾフェノン、４−ヒドロキシ−３−カルボキシベンゾフェノン等）；３−（４’−メチルベンジリデン）−ｄ，ｌ−カンファー、３−ベンジリデン−ｄ，ｌ−カンファー；２−フェニル−５−メチルベンゾキサゾール；２，２’−ヒドロキシ−５−メチルフェニルベンゾトリアゾール；２−（２’−ヒドロキシ−５’−ｔ−オクチルフェニル） ベンゾトリアゾール；２−（２’−ヒドロキシ−５’−メチルフェニルベンゾトリアゾール；ジベンザラジン；ジアニソイルメタン；４−メトキシ−４’−ｔ−ブチルジベンゾイルメタン；５−（３，３−ジメチル−２−ノルボルニリデン）−３−ペンタン−２−オン、ジモルホリノピリダジノ；２−エチルヘキシル−２−シアノ−３，３−ジフェニルアクリレート；２，４−ビス−｛［４−（２−エチルヘキシルオキシ）−２−ヒドロキシ］−フェニル｝−６−（４−メトキシフェニル）−（１，３，５）−トリアジン等が挙げられる。
【００５５】
金属イオン封鎖剤としては、例えば、１−ヒドロキシエタン−１，１−ジフォスホン酸、１−ヒドロキシエタン−１，１−ジフォスホン酸四ナトリウム塩、エデト酸二ナトリウム、エデト酸三ナトリウム、エデト酸四ナトリウム、クエン酸ナトリウム、ポリリン酸ナトリウム、メタリン酸ナトリウム、グルコン酸、リン酸、クエン酸、アスコルビン酸、コハク酸、エデト酸、エチレンジアミンヒドロキシエチル三酢酸３ナトリウム等が挙げられる。
【００５６】
低級アルコールとしては、例えば、エタノール、プロパノール、イソプロパノール、イソブチルアルコール、ｔ−ブチルアルコール等が挙げられる。
【００５７】
多価アルコールとしては、例えば、２価のアルコール（例えば、エチレングリコール、プロピレングリコール、トリメチレングリコール、１，２−ブチレングリコール、１，３−ブチレングリコール、テトラメチレングリコール、２，３−ブチレングリコール、ペンタメチレングリコール、２−ブテン−１，４−ジオール、ヘキシレングリコール、オクチレングリコール等）；３価のアルコール（例えば、グリセリン、トリメチロールプロパン等）；４価アルコール（例えば、１，２，６−ヘキサントリオール等のペンタエリスリトール等）；５価アルコール（例えば、キシリトール等）；６価アルコール（例えば、ソルビトール、マンニトール等）；多価アルコール重合体（例えば、ジエチレングリコール、ジプロピレングリコール、トリエチレングリコール、ポリプロピレングリコール、テトラエチレングリコール、ジグリセリン、ポリエチレングリコール、トリグリセリン、テトラグリセリン、ポリグリセリン等）；２価のアルコールアルキルエーテル類（例えば、エチレングリコールモノメチルエーテル、エチレングリコールモノエチルエーテル、エチレングリコールモノブチルエーテル、エチレングリコールモノフェニルエーテル、エチレングリコールモノヘキシルエーテル、エチレングリコールモノ2-メチルヘキシルエーテル、エチレングリコールイソアミルエーテル、エチレングリコールベンジルエーテル、エチレングリコールイソプロピルエーテル、エチレングリコールジメチルエーテル、エチレングリコールジエチルエーテル、エチレングリコールジブチルエーテル等）；２価アルコールアルキルエーテル類（例えば、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル、ジエチレングリコールブチルエーテル、ジエチレングリコールメチルエチルエーテル、トリエチレングリコールモノメチルエーテル、トリエチレングリコールモノエチルエーテル、プロピレングリコールモノメチルエーテル、プロピレングリコールモノエチルエーテル、プロピレングリコールモノブチルエーテル、プロピレングリコールイソプロピルエーテル、ジプロピレングリコールメチルエーテル、ジプロピレングリコールエチルエーテル、ジプロピレングリコールブチルエーテル等）；２価アルコールエーテルエステル（例えば、エチレングリコールモノメチルエーテルアセテート、エチレングリコールモノエチルエーテルアセテート、エチレングリコールモノブチルエーテルアセテート、エチレングリコールモノフェニルエーテルアセテート、エチレングリコールジアジベート、エチレングリコールジサクシネート、ジエチレングリコールモノエチルエーテルアセテート、ジエチレングリコールモノブチルエーテルアセテート、プロピレングリコールモノメチルエーテルアセテート、プロピレングリコールモノエチルエーテルアセテート、プロピレングリコールモノプロピルエーテルアセテート、プロピレングリコールモノフェニルエーテルアセテート等）；グリセリンモノアルキルエーテル（例えば、キシルアルコール、セラキルアルコール、バチルアルコール等）；���アルコール（例えば、ソルビトール、マルチトール、マルトトリオース、マンニトール、ショ糖、エリトリトール、グルコース、フルクトース、デンプン分解糖、マルトース、キシリトース、デンプン分解糖還元アルコール等）；グリソリッド；テトラハイドロフルフリルアルコール；ＰＯＥ−テトラハイドロフルフリルアルコール；ＰＯＰ−ブチルエーテル；ＰＯＰ・ＰＯＥ-ブチルエーテル；トリポリオキシプロピレングリセリンエーテル；ＰＯＰ−グリセリンエーテル；ＰＯＰ−グリセリンエーテルリン酸；ＰＯＰ・ＰＯＥ−ペンタンエリスリトールエーテル、ポリグリセリン等が挙げられる。
【００５８】
単糖としては、例えば、三炭糖（例えば、Ｄ−グリセリルアルデヒド、ジヒドロキシアセトン等）；四炭糖（例えば、Ｄ−エリトロース、Ｄ−エリトルロース、Ｄ−トレオース、エリスリトール等）；五炭糖（例えば、Ｌ−アラビノース、Ｄ−キシロース、Ｌ−リキソース、Ｄ−アラビノース、Ｄ−リボース、Ｄ−リブロース、Ｄ−キシルロース、Ｌ−キシルロース等）；六炭糖（例えば、Ｄ−グルコース、Ｄ−タロース、Ｄ−ブシコース、Ｄ−ガラクトース、Ｄ−フルクトース、Ｌ−ガラクトース、Ｌ−マンノース、Ｄ−タガトース等）；七炭糖（例えば、アルドヘプトース、ヘプロース等）；八炭糖（例えば、オクツロース等）；デオキシ糖（例えば、２−デオキシ−Ｄ−リボース、６−デオキシ−Ｌ−ガラクトース、６−デオキシ−Ｌ−マンノース等）；アミノ糖（例えば、Ｄ−グルコサミン、Ｄ−ガラクトサミン、シアル酸、アミノウロン酸、ムラミン酸等）；ウロン酸（例えば、Ｄ−グルクロン酸、Ｄ−マンヌロン酸、Ｌ−グルロン酸、Ｄ−ガラクツロン酸、Ｌ−イズロン酸等）等が挙げられる。
【００５９】
オリゴ糖としては、例えば、ショ糖、グンチアノース、ウンベリフェロース、ラクトース、プランテオース、イソリクノース類、α，α-トレハロース、ラフィノース、リクノース類、ウンビリシン、スタキオースベルバスコース類等が挙げられる。
【００６０】
多糖としては、例えば、セルロース、クインスシード、コンドロイチン硫酸、デンプン、ガラクタン、デルマタン硫酸、グリコーゲン、アラビアガム、ヘパラン硫酸、ヒアルロン酸、トラガントガム、ケラタン硫酸、コンドロイチン、キサンタンガム、ムコイチン硫酸、グアガム、デキストラン、ケラト硫酸、ローカストビーンガム、サクシノグルカン、カロニン酸等が挙げられる。
【００６１】
アミノ酸としては、例えば、中性アミノ酸（例えば、スレオニン、システイン等）；塩基性アミノ酸（例えば、ヒドロキシリジン等）等が挙げられる。また、アミノ酸誘導体として、例えば、アシルサルコシンナトリウム(ラウロイルサルコシンナトリウム)、アシルグルタミン酸塩、アシルβ-アラニンナトリウム、グルタチオン、ピロリドンカルボン酸等が挙げられる。
【００６２】
有機アミンとしては、例えば、モノエタノールアミン、ジエタノールアミン、トリエタノールアミン、モルホリン、トリイソプロパノールアミン、２−アミノ−２−メチル−１,３−プロパンジオール、２−アミノ−２−メチル−１−プロパノール等が挙げられる。
高分子エマルジョンとしては、例えば、アクリル樹脂エマルジョン、ポリアクリル酸エチルエマルジョン、アクリルレジン液、ポリアクリルアルキルエステルエマルジョン、ポリ酢酸ビニル樹脂エマルジョン、天然ゴムラテックス等が挙げられる。
【００６３】
ｐＨ調整剤としては、例えば、乳酸−乳酸ナトリウム、クエン酸−クエン酸ナトリウム、コハク酸−コハク酸ナトリウム等の緩衝剤等が挙げられる。
ビタミン類としては、例えば、ビタミンＡ、Ｂ１、Ｂ２、Ｂ６、Ｃ、Ｅ及びその誘導体、パントテン酸及びその誘導体、ビオチン等が挙げられる。
酸化防止剤としては、例えば、トコフェロール類、ジブチルヒドロキシトルエン、ブチルヒドロキシアニソール、没食子酸エステル類等が挙げられる。
【００６４】
酸化防止助剤としては、例えば、リン酸、クエン酸、アスコルビン酸、マレイン酸、マロン酸、コハク酸、フマル酸、ケファリン、ヘキサメタフォスフェイト、フィチン酸、エチレンジアミン四酢酸等が挙げられる。
【００６５】
その他の配合可能成分としては、例えば、防腐剤（エチルパラベン、ブチルパラベン、クロルフェネシン、フェノキシエタノール等）；消炎剤（例えば、グリチルリチン酸誘導体、グリチルレチン酸誘導体、サリチル酸誘導体、ヒノキチオール、酸化亜鉛、アラントイン等）；美白剤（例えば、胎盤抽出物、ユキノシタ抽出物、アルブチン等）；各種抽出物（例えば、オウバク、オウレン、シコン、シャクヤク、センブリ、バーチ、セージ、ビワ、ニンジン、アロエ、ゼニアオイ、アイリス、ブドウ、ヨクイニン、ヘチマ、ユリ、サフラン、センキュウ、ショウキュウ、オトギリソウ、オノニス、ニンニク、トウガラシ、チンピ、トウキ、海藻等）、賦活剤（例えば、ローヤルゼリー、感光素、コレステロール誘導体等）；血行促進剤（例えば、ノニル酸ワレニルアミド、ニコチン酸ベンジルエステル、ニコチン酸β−ブトキシエチルエステル、カプサイシン、ジンゲロン、カンタリスチンキ、イクタモール、タンニン酸、α−ボルネオール、ニコチン酸トコフェロール、イノシトールヘキサニコチネート、シクランデレート、シンナリジン、トラゾリン、アセチルコリン、ベラパミル、セファランチン、γ−オリザノール等）；抗脂漏剤（例えば、硫黄、チアントール等）；抗炎症剤（例えば、トラネキサム酸、チオタウリン、ヒポタウリン等）等が挙げられる。
【００６６】
さらに、エデト酸二ナトリウム、エデト酸三ナトリウム、クエン酸ナトリウム、ポリリン酸ナトリウム、メタリン酸ナトリウム、グルコン酸、リンゴ酸等の金属封鎖剤、カフェイン、タンニン、ベラパミル、トラネキサム酸及びその誘導体、甘草、カリン、イチヤクソウ等の各種生薬抽出物、酢酸トコフェロール、グリチルレジン酸、グリチルリチン酸及びその誘導体又はその塩等の薬剤、ビタミンＣ、アスコルビン酸リン酸マグネシウム、アスコルビン酸グルコシド、アルブチン、コウジ酸等の美白剤、アルギニン、リジン等のアミノ酸及びその誘導体、フルクトース、マンノース、エリスリトール、トレハロース、キシリトール等の糖類等も適宜配合することができる。
【００６７】
本発明にかかるコア−コロナ型ポリマー粒子を用いた化粧料用原料の製品形態としては、あらゆる製品形態をとることが可能である。具体的には、化粧水、乳液、美容液、クリーム、サンスクリーン、リキッドファンデーション等の製品形態をとることができる。
【００６８】
［コア−コロナ型ポリマー粒子分散液した化粧料用原料の製造方法］
公知の方法で製造することができる。たとえば、次のとおりである。還流管と窒素導入管を備えた三口フラスコに所定の溶媒（たとえば水−アルコール混合溶媒）を加え、ポリエチレンオキサイドモノマーおよび疎水性モノマーを添加する。十分に溶解または分散させた後、２０分間以上窒素置換して溶存酸素を除いた後、全モノマー量に対して１mol％のラジカル重合開始剤を添加し、溶解させる。均一溶解または分散させた重合溶液を窒素置換し、溶存酸素を除いた後に撹拌しながらオイルバス内で65〜70℃に保って８時間重合反応を行う。重合終了後、コア−コロナ型ポリマー粒子分散液を得る。
【００６９】
［本発明に係るコア−コロナ型ポリマー粒子を用いた化粧料の製造方法］
公知の方法で製造することができる。たとえば、コア−コロナ型ポリマー粒子を含む水中に所定の可溶化剤と油分を添加して可溶化化粧水を得る方法や、コア−コロナ型ポリマー粒子および水溶性増粘剤を含む水中に油分を添加した後、ホモミキサーによって強いせん断力を印加することで乳液を得る方法などがある。
【実施例】
【００７０】
本発明について、以下に実施例を挙げてさらに詳述するが、本発明はこれにより限定されるものではない。配合量は特記しない限り、その成分が配合される系に対する質量％で示す。
実施例の説明に先立ち本発明の係るコア−コロナ型ポリマー粒子の評価方法について説明する。【００７１】
評価（１）：透過率の評価
試料を分光光度計Ｖ−６３０（日本分光社製）により波長６００ｎｍで測定し、可視光透過率（光路長１ｃｍ）により評価した。リファレンスはイオン交換水とした。【００７２】
評価（２−１）：安定性（外観）の評価
試料調製後１日後に外観を目視によって観察し、下記基準に従って評価した。
（評価基準）
A：試料は均一で、油浮きや粉の凝集を認めなかった。
B：試料はほぼ均一であるが、油浮きまたは粉の凝集をわずかに認めた。
C：試料が均一でないか、著しい油相の分離、もしくは粉の凝集を認めた。【００７３】
評価（２−２）：乳化安定性（乳化粒子）の評価
試料の乳化粒子を光学顕微鏡で観察した。
（評価基準）
A：乳化粒子は均一で、合一や凝集を認めなかった。
B：乳化粒子はほぼ均一であるが、わずかな合一や凝集などを認めた。
C：乳化粒子が均一でなく、著しい合一や凝集を認めた。【００７４】
評価（３）：皮膚刺激試験の評価
１０名の敏感肌パネルの上腕内側部に２４時間の閉塞パッチを行い、皮膚の状態を下記基準で判定した。
（評価基準）
０…全く異常が認められない。
１…わずかに赤みが認められる。
２…赤みが認められる。
３…赤みと丘疹が認められる。【００７５】
評価（４）：使用感の評価
専門パネル１０名により、試料を皮膚に塗布した際の使用感（「べたつきのなさ」「こく感」「なじみの早さ」）を下記基準で評価した。
（評価基準）
A：１０名中７名以上が「良い」「実感できる」と答えた。
B：１０名中５名以上が「良い」「実感できる」と答えた。
C：１０名中３名以上が「良い」「実感できる」と答えた。
D：１０名中２名以下が「良い」「実感できる」と答えた。【００７６】
評価（５）：経時安定性の評価
製造から１ヵ月経過後の水中油型乳化化粧料の状態を、肉眼にて観察した。
（評価基準）
A：試料は製造時の乳化状態を保っている。
B：若干の沈降／浮上が見られるが、試料は乳化状態をほぼ保っている。
C：乳化粒子が沈降／浮上し、粒子の合一も認められる。
D：試料中の乳化粒子が沈降／浮上、合一して、油相が完全に分離している。【００７７】
［コア−コロナ型ポリマー粒子分散液した化粧料用原料］【００７８】
はじめに、本発明者らは、本発明に係るコア−コロナ型ポリマー粒子を製造して、上記評価方法にて評価した。各成分の配合量については、表１に記した。各成分をラジカル重合する条件は、表２に記した。得られたコア−コロナ型ポリマー粒子が分散した化粧料原料の各評価は表３に記した。【００７９】
【表１】
2019182124.tif 000009
【００８０】
【表２】
2019182124.tif 000010
【００８１】
【表３】
2019182124.tif 000011
【００８２】
製造例１で得られた化粧料用原料は、コア−コロナ型ポリマー粒子が、分散したものであった。【００８３】
次に、製造例で得られたコア−コロナ型ポリマー粒子を白濁化粧料に用いた。【００８４】
【表４】
2019182124.tif 000012
【００８５】
得られた化粧料は、安定性、皮膚刺激性、使用感に優れた白濁化粧料であった。【００８６】
次に、製造例で得られたコア−コロナ型ポリマー粒子分散した化粧料用原料を水中油型乳化化粧料に用いた。【００８７】
【表５】
2019182124.tif 000013
【００８８】
得られた水中油型乳化化粧料は、安定性、皮膚刺激性、使用感に優れた水中油型乳化化粧料であった。【００８９】
【表６】
2019182124.tif 000014
【００９０】
得られた水中油型乳化化粧料は、安定性、皮膚刺激性、使用感に優れた水中油型乳化化粧料であった。【００９１】
【表７】
2019182124.tif 000015
【００９２】
得られた化粧料は、安定性、皮膚刺激性、使用感に優れた水中油型乳化化粧料であった。
【図１】
2019182124.tif 000019
【図２】
2019182124.tif 000020
【図３】
2019182124.tif 000021
【図４】
2019182124.tif 000022
【図５】
2019182124.tif 000023
【国際調査報告】
2019182124.tif 000024
2019182124.tif 000025
2019182124.tif 000026
2019182124.tif 000027
2019182124.tif 000028
2019182124.tif 000029